(57)【要約】【課題】手に伝わる振動や衝撃等を適度に吸収して、使用時に滑ることなく手触り感が良く、手にぴったりなじむようなグリップを提供するものである。【解決手段】グリップ１０の筒状の主体部１２の素材を、シリカを配合剤としたエチレン・α−オレフィン・ジエン共重合ゴムの架橋物とし、その主体部のＪＩＳ・Ａ硬さを４４〜５０とする。このグリップ１０は、手が滑ることがなく、手触りの感触が良く、しかも振動や衝撃を受けた場合にその振動や衝撃を和らげて、疲労感が少なくすることができる。【選択図】      図１
2004344470.tif 000002
【特許請求の範囲】
【請求項１】
シリカを配合剤としたエチレン・α−オレフィン・ジエン共重合ゴムの架橋物であって、その架橋物のＪＩＳ・Ａ硬さを４４〜５０としたことを特徴とするグリップ。
【請求項２】
前記ＪＩＳ・Ａ硬さを４６〜４８としたことを特徴とする請求項１記載のグリップ。
【請求項３】
筒状の主体部とその一端のグリップエンドとから成り、前記主体部を前記ＪＩＳ・Ａ硬さとし、前記グリップエンドエンドのＪＩＳ・Ａ硬さを前記ＪＩＳ・Ａ硬さより硬いものとしたことを特徴とする請求項１または２記載のグリップ。
【発明の詳細な説明】
【０００１】
【発明の属する技術分野】
本発明は、ゴルフクラブのシャフト等に取り付けるグリップに関するものである。
【０００２】
【従来の技術】
従来から、ゴルフクラブのシャフトの先端や、テニスやバドミントン等のラケットの先端や、バイクや自転車等のハンドルの先端等には、手で握るためのグリップが固定されている。このグリップには、手で握った状態において、手が滑りにくいことと、手触りの良さとが求められている。
【０００３】
例えば、ゴルフクラブに使用するグリップにおいては、手が滑りにくいことと手触りの良さの他に、ミスショット時の手応えが悪くないようにすること（手に伝わる振動や衝撃等を少なくすること）が要求されている。これは、ミスショットをした場合には、ナイスショットをした場合と比べて手に重い衝撃が伝わる。このため、ミスショットの際に手応えが悪くないようにするグリップが考えられた（特許文献１）。
【０００４】
【特許文献１】
特許第３０３５０７５号（第１−５頁）
【０００５】
【発明が解決しようとする課題】
ミスショットの際に手応えが悪くないようにするゴルフクラブのグリップを使用した場合には、手に伝わる衝撃の感触が鈍くなり、例えばベストショットやベターショットやグッドショットやバッドショットの細かな区別がつかなくなる。手に伝わる感触が鈍くなる結果、細かい距離の調整が効かなくなるという不具合があった。
【０００６】
本発明は、手に伝わる振動や衝撃等を吸収し、使用時に滑ることなく、手触り感が良く、手にぴったりなじむようなグリップを提供することを目的とする。
【０００７】
【課題を解決するための手段】
本発明に係るグリップは、シリカを配合剤としたエチレン・α−オレフィン・ジエン共重合ゴムの架橋物であって、その架橋物のＪＩＳ・Ａ硬さを４４〜５０としたものである。本発明はまた、前記ＪＩＳ・Ａ硬さを４６〜４８としたものである。本発明は更に、筒状の主体部とその一端のグリップエンドとから成り、前記主体部を前記ＪＩＳ・Ａ硬さとし、前記グリップエンドエンドのＪＩＳ・Ａ硬さを前記ＪＩＳ・Ａ硬さより硬いものとしたものである。
【０００８】
【発明の実施の形態】
次に、本発明を図面に基づいて説明する。
図１は本発明に係るグリップの断面図である。グリップ１０は、筒状の主体部１２と、その筒状の主体部１２の一端に一体に形成されるグリップエンド１４とを有する。グリップ１０には、筒状の主体部１２のみから成り、グリップエンド１４を備えないものも存在する。筒状の主体部１２の内壁面は、ゴルフクラブのシャフト１６の先端付近の外壁面に接着剤等の既知の手段で固定する。なお、グリップエンド１４を備えたものにおいては、グリップエンド１４の中央に貫通穴１８を形成する。
【０００９】
グリップ１０は、ＥＰＤＭ（合成ゴム）のうちのシリカを配合剤としたエチレン・α−オレフィン・ジエン共重合ゴムの架橋物とする。更に、その主体部１２のＪＩＳ・Ａ硬さを４４〜５０（両端の数値を含む）とする。ここで、ＪＩＳ・Ａ硬さが４４未満の場合には、グリップ１０に衝撃がかかるとグリップ１０（主体部１２）が歪んでシャフト１６に対して動く感じがする。一方、ＪＩＳ・Ａ硬さが５０を越える場合には、グリップ１０そのものが堅くなって、衝撃が手に直接伝わる感じがする。
【００１０】
主体部１２のＪＩＳ・Ａ硬さを４４〜５０（両端の数値を含む）とするのが望ましいが、それより更に、主体部１２のＪＩＳ・Ａ硬さを４６〜４８（両端の数値を含む）にするのが最良である。主体部１２のＪＩＳ・Ａ硬さが４４〜５０（４６〜４８）の場合には、グリップ１０が手にぴったりなじむので、例えばゴルフボールを打った場合に、手がグリップ１０から滑ることがなく、手触り感が良く、疲労感が少ない。更に、手に伝わる振動や衝撃等を適度に吸収するので、ゴルフボールを従来に比べて強打でき、飛距離を伸ばすことができる。本発明に係るグリップ１０は手にぴったりなじむので、ゴルフボールを打った場合のショットの良し悪しに応じた感触がグリップ１０を通して手に伝わるため、ゴルファーにとって正確な飛距離を出し易くなり、スコアメイクの向上を図ることができる。
【００１１】
シリカを配合剤としたエチレン・α−オレフィン・ジエン共重合ゴムの架橋物は、例えば充填剤や軟化剤や加硫剤や着色剤等を必要に応じて配合したものであっても良い。
【００１２】
グリップ１０が筒状の主体部１２とグリップエンド１４とを一体に形成して成るものでは、グリップ１０を成形加硫する際に、グリップエンドエンド１４の素材は主体部１２と同一素材とし、グリップエンドエンド１４となる箇所の素材の硬さを、主体部１２となる箇所の素材の硬さよりも硬いものを使用する。これによって、グリップエンド１４の硬さを、主体部１２の硬さよりも硬くすることができ、グリップエンドエンド１４からのグリップ１０の亀裂を防止することができる。
【００１３】
前述の説明では、グリップ１０を、ゴルフクラブに使用する場合について説明した。しかし、振動や衝撃を緩和でき、手がグリップから滑りにくく、手触り感が良く、疲労感が少ない等の利点から考えて、本発明に係るグリップ１０をテニスやバドミントン等の運動用具や、バイクや自転車等のハンドル等にも適用することができる。
【００１４】
従来のグリップは、素材にカーボンを含んでいるため、グリップの色は黒い色かそれに近い色に限られていた。しかし、シリカを配合剤としたエチレン・α−オレフィン・ジエン共重合ゴムの架橋物はカーボンを含まないため、グリップ１０をカラフルで明るい色にすることができる。
【００１５】
【発明の効果】
以上説明したように、本発明に係るグリップは、手が滑ることなく、手触り感が良く、振動や衝撃を受けてもグリップが動くことなく手にぴったりなじみ、疲労感を感じることがない。特に、本発明に係るグリップをゴルフクラブのシャフトに応用した場合に、ボールを打った感触がグリップを通してゴルファーの手に伝わるため、ショットの良し悪しをより正確に認識することができる。この結果、正確な飛距離を出し易くなり、スコアメイクを向上させることができる。更に、本発明に係るグリップは、カーボンを含まない素材から成るので、カラフルで明るい色のグリップを作ることができる。
【図面の簡単な説明】
【図１】本発明に係るグリップの断面図である。
【符号の説明】
１０  グリップ
１２  主体部
１４  グリップエンド
【図１】
2004344470.tif 000003